(57)【要約】【課題】  一般的な携帯電話を幼児向けの玩具として機能させることが可能な携帯端末装置を提供する。【解決手段】  通常の機能を実行する通常モードと、玩具としての機能を実行する玩具モードと、を有し、複数の操作手段と１対１に対応した複数のデータ（音声や画像）を記憶する記憶手段と、データを出力する出力手段と、通常の機能の実行を制御する制御手段と、を有し、玩具モードが選択された場合、制御手段は、操作手段の操作による通常の機能の実行を制限し、操作手段が操作された場合、出力手段は、操作手段に対応したデータ（音声や画像）を出力する。【選択図】  図３
2007049618.tif 000002
【特許請求の範囲】
【請求項１】
通常の機能を実行する通常モードと、玩具としての機能を実行する玩具モードと、を有することを特徴とする携帯端末装置。
【請求項２】
複数の操作手段と、
前記各操作手段と１対１に対応した複数のデータを記憶する記憶手段と、
前記データを出力する出力手段と、
前記通常の機能の実行を制御する制御手段と、を有し、
前記玩具モードが選択された場合、前記制御手段は、前記操作手段の操作による通常の機能の実行を制限し、前記操作手段が操作された場合、前記出力手段は、該操作手段に対応したデータを出力することを特徴とする請求項１記載の携帯端末装置。
【請求項３】
前記玩具モードが選択された際に、前記出力手段により出力される前記データを予め選択可能な選択手段をさらに有することを特徴とする請求項１又は２記載の携帯端末装置。
【請求項４】
前記データは、音声データ及び画像データのうち少なくとも１つであることを特徴とする請求項２又は３記載の携帯端末装置。
【請求項５】
前記データは、外部装置との通信によって取得されることを特徴とする請求項２から４のいずれか１項に記載の携帯端末装置。
【請求項６】
通常の機能を実行する通常モードと、玩具としての機能を実行する玩具モードと、を携帯端末装置に実行させるプログラム。
【請求項７】
前記玩具モードが選択された場合、操作手段の操作による通常の機能の実行を制限する処理と、
前記操作手段が操作された場合、該操作手段と１対１に対応したデータを出力する処理と、
を携帯端末装置に実行させる請求項６記載のプログラム。
【請求項８】
前記玩具モードが選択された際に、出力するデータを予めユーザに選択させる処理を携帯端末装置に実行させる請求項６又は７記載のプログラム。
【請求項９】
前記データは、音声データ及び画像データのうち少なくとも１つであることを特徴とする請求項７又は８記載のプログラム。
【請求項１０】
前記データを、外部装置との通信によって取得して保存する処理を携帯端末装置に実行させる請求項７から９のいずれか１項に記載のプログラム。
【発明の詳細な説明】
【技術分野】
【０００１】
本発明は、キー押下により幼児が楽しめる楽曲および画像を出力する幼児モードを搭載する携帯端末装置およびプログラムに関する。
【背景技術】
【０００２】
近年、携帯電話の普及率は非常に高くなっており、もはや日常品と化している。そのため幼児が容易に携帯電話に触って遊ぶ光景が多く見られる。大半の幼児は、携帯電話を触ることが楽しいと感じている。
従来技術例として、携帯電話機としての機能に加え、動画を表示する画像表示部を備え、画像表示部に表示される動画を見ながら音声やメロディ音を聞くことができる「携帯電話機玩具」がある（例えば、特許文献１参照）。
【特許文献１】特開２００１−１８７２８０号公報
【発明の開示】
【発明が解決しようとする課題】
【０００３】
しかしながら、上記特許文献１記載の発明は、携帯電話を模した玩具であり、携帯電話の一部の機能（例えば受信機能）を有するものの、一般的な携帯電話として完全に機能できるものではない。よって、従来、一般的な携帯電話を幼児の玩具として使用することができるものはなかった。
【０００４】
本発明は、上記事情に鑑みてなされたものであり、幼児向けの楽曲および画像を出力し、携帯電話を玩具として機能させる玩具モードを携帯電話に搭載することにより、既存の一般的な携帯電話を幼児向けの玩具として機能させることが可能な携帯端末装置、および、一般的な携帯電話を幼児向けの玩具として機能させるプログラムを提供することを目的とする。
【課題を解決するための手段】
【０００５】
かかる目的を達成するために、請求項１記載の発明は、通常の機能を実行する通常モードと、玩具としての機能を実行する玩具モードと、を有することを特徴とする。
【０００６】
請求項２記載の発明は、請求項１記載の発明において、複数の操作手段と、各操作手段と１対１に対応した複数のデータを記憶する記憶手段と、データを出力する出力手段と、通常の機能の実行を制御する制御手段と、を有し、玩具モードが選択された場合、制御手段は、操作手段の操作による通常の機能の実行を制限し、操作手段が操作された場合、出力手段は、操作手段に対応したデータを出力することを特徴とする。
【０００７】
請求項３記載の発明は、請求項１又は２記載の発明において、玩具モードが選択された際に、出力手段により出力されるデータを予め選択可能な選択手段をさらに有することを特徴とする。
【０００８】
請求項４記載の発明は、請求項２又は３記載の発明において、データは、音声データ及び画像データのうち少なくとも１つであることを特徴とする。
【０００９】
請求項５記載の発明は、請求項２から４のいずれか１項に記載の発明にておいて、データは、外部装置との通信によって取得されることを特徴とする。
【００１０】
請求項６記載の発明は、通常の機能を実行する通常モードと、玩具としての機能を実行
する玩具モードと、を携帯端末装置に実行させる。
【００１１】
請求項７記載の発明は、請求項６記載の発明において、玩具モードが選択された場合、操作手段の操作による通常の機能の実行を制限する処理と、操作手段が操作された場合、操作手段と１対１に対応したデータを出力する処理と、を携帯端末装置に実行させる。
【００１２】
請求項８記載の発明は、請求項６又は７記載の発明において、玩具モードが選択された際に、出力するデータを予めユーザに選択させる処理を携帯端末装置に実行させる。
【００１３】
請求項９記載の発明は、請求項７又は８記載の発明において、データは、音声データ及び画像データのうち少なくとも１つであることを特徴とする。
【００１４】
請求項１０記載の発明は、請求項７から９のいずれか１項に記載の発明において、データを、外部装置との通信によって取得して保存する処理を携帯端末装置に実行させる。
【発明の効果】
【００１５】
本発明によれば、携帯端末装置を幼児向けの玩具として機能させることが可能となる。
【発明を実施するための最良の形態】
【００１６】
以下、本発明を実施するための最良の形態について添付図面を参照して詳細に説明する。
【実施例１】
【００１７】
本発明の携帯端末装置の一実施例として、携帯電話について説明する。図１は、本発明の実施例１である携帯電話１の外観を示す図である。携帯電話１は、カラー画像（静止画及び動画）の表示が可能な表示パネル１５及びユーザが操作を行うための複数のキー１９を有している。
【００１８】
図２は、本実施例の携帯電話１の構成例を示すブロック図である。携帯電話１は、携帯電話１の動力となる電源１２、携帯電話１と基地局とのやり取りを制御する無線部１３、プログラム自体のデータやプログラムが処理するデータ、携帯電話１の設定内容を保持する記憶部１４、文字や静止画および動画をカラー表示する表示パネル１５、記憶部１４に格納された音楽データを鳴らすスピーカ１６、通話時にユーザが相手の声を聴くためのレシーバ１７、通話時にユーザの声を取り込むためのマイク１８、電話番号や文字の入力などの携帯電話１の操作をするためのキー１９、電源１２，記憶部１４，無線部１３，表示パネル１５，スピーカ１６，レシーバ１７，マイク１８，キー１９をそれぞれ制御する制御部１１、を有して構成される。
【００１９】
以上のように構成された携帯電話１において、記憶部１４に格納されたプログラムや設定内容、及び、キー１９による操作によって、制御部１１は、レシーバ１７、マイク１８、無線部１３をそれぞれ制御して通話を可能にする。無線部１３が音声以外のデータを受信した場合、制御部１１は一旦記憶部１４にデータを格納し、所定のデータ形式に変換してから、音楽データならスピーカ１６に、文字や画像のデータなら表示パネル１５に出力させる。記憶部１４に格納されたプログラムにより、キー１９からの入力内容を記憶部１４に格納し、制御部１１による処理結果を表示パネル１５に出力する。
【００２０】
本実施例の携帯電話は、制御部１４の制御により、通常モード（キー操作により、一般的な携帯電話の各機能を実行可能な状態）と幼児モード（＝玩具モード：キー操作により、楽曲や画像を出力する状態）とのＯＮ／ＯＦＦ切り替えを可能とする。
【００２１】
次に、図３を参照して、本実施例の動作について説明する。
図３は、本実施例の携帯電話１に搭載される幼児モードの動作を示すフローチャートである。この幼児モードの動作を携帯電話１に実行させるプログラムは、記憶部１４に格納されている。携帯電話１のユーザ(以下、甲)によるキー１９の操作によって幼児モードを選択されると、制御部１１は、記憶部１４に格納された幼児モードプログラムを読み出し、通常モードから幼児モードに切り替える。この時、幼児モードに切り替わったことを表示パネル１５に表示するようにしてもよい。また、幼児モード時には、制御部１１がプログラムに従って各部を制御し、通常の携帯電話の機能を不可とする（又は、例えば、電話やメールの受信機能及び着信報知機能のみ可能にするというように、部分的に各機能を制限する）。特に、キー１９の通常の機能を制限する。具体的には、各キーを幼児が押下しても通常時の発信操作等が行われないように制御する。
【００２２】
幼児モードに切り替わると、キー１９の押下待ちの判断処理に移る（Ｃ１００）。押下されたキー１９が０〜９の数字キー、＊キー、及び＃キー以外であった場合（Ｃ１００／ＮＯ）、判断処理Ｃ１０１に移る。そして電源キーの長押しであった場合は（Ｃ１０１／ＹＥＳ）、電源ＯＦＦとなる（Ｃ１０２）。判断処理Ｃ１０１で電源キーの長押し以外のキー操作が行われた場合は（Ｃ１０１／ＮＯ）、判断処理Ｃ１００のキー１９の押下待ちに戻る。
【００２３】
キー１９の押下待ちの判断処理Ｃ１００で押下されたキーが数字キー、＊キー、＃キーのいずれかの場合（Ｃ１０１／ＹＥＳ）、例えば０キーが押されたならば、制御部１１は記憶部１４に格納されたプログラムに従って、記憶部１４に格納された、楽曲データ及び画像データを指定する。本実施例では、例えば、０キーに１対１に対応した楽曲データである楽曲a０と、０キーに１対１に対応した画像データである画像a０とを指定する。ここで、画像データは静止画でも動画でも構わない。前述の処理ルート（０キー押下から楽曲データ楽曲a０および画像データ画像a０を指定するまでの一連の処理）をRa０とすると、その他の数字キー、＊キー、＃キーが押された場合は以下の表１のようになる。表１に示す楽曲データおよび画像データはそれぞれ、各キーと１対１に対応して記憶部１４に格納されている。
【００２４】
【表１】
2007049618.tif 000003
【００２５】
そして、いずれか１つの処理ルート（Ra０〜Ra#）を経由した後、制御部１１は、指定
の楽曲データをスピーカ１６から出力するように制御する（Ｃ１０３）。次に、制御部１１は、指定の画像データを表示パネル１５に出力するように制御する（Ｃ１０４）。
【００２６】
楽曲データおよび画像データを出力している間、キー押下待ちの判断処理Ｃ１０５に移る。所定のキーが押下されなければ（Ｃ１０５／ＮＯ）、出力中の楽曲データおよび画像データの出力を終了し（Ｃ１０６）、判断処理Ｃ１００に戻る。所定のキーが押下された場合は（Ｃ１０５／ＹＥＳ）、その時点で楽曲データおよび画像データの出力を終了し、判断処理Ｃ１００に移る。
【００２７】
本実施例では、スピーカから出力する音声データとして楽曲データを出力するものとしたが、人の声、動物の鳴き声、物音等、音に関するデータなら本実施例に限定されない。
【００２８】
以上、本実施例によれば、一般の携帯電話を利用して、幼児が聴いて喜ぶ楽曲や画像を出力することが可能になる。その理由は、携帯電話はキー１９と記憶部１４とスピーカ１６とを有し、既存の携帯電話の機能で実施できるためである。
【実施例２】
【００２９】
次に、本発明の実施例２について、図３、図４を参照して説明する。
本実施例の携帯電話１は、甲がキー１９の操作により幼児モードに切り替える際、図４に示すように、表示パネル１５に「日本語の曲」、「英語の曲」という選択項目を表示し、キー１９の操作で選択できるようにする。
このように日本語の曲と英語の曲とを選択できる場合、図３における処理ルートRx（xは変数）は以下の表２のようになる。
【００３０】
【表２】
2007049618.tif 000004
【００３１】
以上、本実施例によれば、図４に示すように選択項目（日本語、英語）を２つ設け、それに応じて楽曲データおよび画像データを記憶部１４に格納しておくことにより、２４種類の楽曲および画像を出力することが可能になり、より多くの楽曲や画像を出力することができるとともに、ユーザが好みの楽曲や画像を指定できる。更に、図４において選択項目を３つ以上設けて、それに比例して楽曲データおよび画像データを記憶部１４に格納しておき、出力される楽曲および画像のバリエーションを増やしてもよい。なお、選択項目の種類については、本実施例に限定されない。
【実施例３】
【００３２】
次に、本発明の実施例３について、図３、図５を参照して説明する。
本実施例では、図５に示すように、幼児モードで使用する楽曲データおよび画像データを提供するサービス事業者（以下、乙）が存在し、甲が乙と利用契約をしている場合、甲はキー１９による所定の操作を行って、無線部１３を介して携帯電話公衆回線を経由して楽曲データおよび画像データのダウンロードの要求を乙（乙の管理する端末装置２０）に
対して行う。乙は甲からの要求に対して幼児モードの楽曲データおよび画像データを、端末装置２０から携帯電話公衆回線を介して甲の携帯電話１へ送信する。甲は乙が送信した楽曲データおよび画像データを、無線部１３を介して受信し、記憶部１４に格納する。同時に図３の処理ルートＲxが、受信した楽曲データおよび画像データに応じて生成される。
【００３３】
以上、本実施例によれば、乙のようなサービス事業者から、幼児モードで出力される楽曲および画像のデータをダウンロードして保存することができるので、徐々に希望の楽曲や画像を増やしていくことが可能になる。
【００３４】
以上、本発明の各実施例について説明したが、上記実施例の記載に限定されるものではなく、その要旨を逸脱しない範囲において種々の変形が可能である。
【産業上の利用可能性】
【００３５】
本発明は、表示手段、放音手段、複数の操作手段を有する装置に適用できる。
【図面の簡単な説明】
【００３６】
【図１】本発明の携帯電話の外観を示す図である。
【図２】本発明の携帯電話の構成を示すブロック図である。
【図３】本発明の携帯電話の動作を示すフローチャートである。
【図４】本発明の携帯電話の表示画面の一例を示す正面図である。
【図５】本発明の携帯電話の利用形態の一例を示す図である。
【符号の説明】
【００３７】
１    携帯電話（携帯端末装置の一例）
１１    制御部（制御手段の一例）
１２    電源
１３    無線部
１４    記憶部（記憶手段の一例）
１５    表示パネル（出力手段の一例）
１６    スピーカ（出力手段の一例）
１７    レシーバ
１８    マイク
１９    キー（操作手段の一例）
２０    サービス事業者の端末装置
【図１】
2007049618.tif 000005
【図２】
2007049618.tif 000006
【図３】
2007049618.tif 000007
【図４】
2007049618.tif 000008
【図５】
2007049618.tif 000009